(57)【要約】      （修正有）【課題】情報提示機能を具有するベルトパーテーションの構造を提供する。【解決手段】柱本体と柱本体に配置する提示装置で構成する情報提示機能を具有するベルトパーテーション１０の構造である。提示装置は列の状態を感知するものであり、列の状態を代表する提示情報をアウトプットする。よって、一つの列の動線を区画するほか、更に列に並ぶ人々に例えば待ち時間などの有利な情報及び、その他の付加する有益機能の提示を具有するなど、列に並ぶ人々が便利に使用できる。【選択図】図１
0003205794.tif 000002
【実用新案登録請求の範囲】
【請求項１】
柱本体及び提示装置を含み、
列の動線を区画するのに適用し、
前記提示装置は前記柱本体に配置し、前記列の状態を感知し、且つ前記列の状態を代表する提示情報をアウトプットすることを特徴とする情報提示機能を具有するベルトパーテーションの構造。
【請求項２】
前記提示装置に含まれるのはセンサー、アウトプットユニット及び制御ユニットであり、
前記センサーは前記柱本体の周囲にいる前記列に並ぶ人々の状態を検出し、
前記制御ユニットは前記センサーと前記アウトプットユニットを連結し、それにより前記センサーが検出した前記列に並ぶ人々の状態を受信し、前記アウトプットユニットを介して、少なくとも一つの待ち時間の前記提示情報をアウトプットすることを特徴とする請求項１記載の情報提示機能を具有するベルトパーテーションの構造。
【請求項３】
前記センサーは赤外線センサーとすることを特徴とする請求項２記載の情報提示機能を具有するベルトパーテーションの構造。
【請求項４】
前記提示装置は更に前記制御ユニットと連結する送受信ユニットを含み、外部サーバー、或いは前記列を区画する動線のその他のベルトパーテーションとの間で通信を行うことを特徴とする請求項２記載の情報提示機能を具有するベルトパーテーションの構造。
【請求項５】
前記送受信ユニットはＷｉＦｉワイヤレス送受信ユニットであり、前記制御ユニットは、ＷｉＦｉワイヤレス送受信ユニットから受信する信号を、拡大してから転送するリピーター機能を具有することを特徴とする請求項４記載の情報提示機能を具有するベルトパーテーションの構造。
【請求項６】
前記提示装置は更に前記制御ユニットと連結する発光ユニットを含み、照明の光とすることを特徴とする請求項２記載の情報提示機能を具有するベルトパーテーションの構造。
【請求項７】
前記提示装置は更に充電式乾電池と、前記制御ユニット及び前記充電式乾電池と連結する放充電ユニットを含み、エネルギー貯蔵及び外部の携帯装置に充電を行うためのものであることを特徴とする請求項２記載の情報提示機能を具有するベルトパーテーションの構造。
【請求項８】
前記提示装置は更に前記制御ユニットと連結するインプットユニットを含み、前記制御ユニットの操作モードを設定することを特徴とする請求項２記載の情報提示機能を具有するベルトパーテーションの構造。
【請求項９】
前記アウトプットユニットは表示パネルを具有し、前記提示情報を表示することを特徴とする請求項２記載の情報提示機能を具有するベルトパーテーションの構造。
【請求項１０】
前記アウトプットユニットにオーディオジェネレーターを具有し、前記提示情報を代表する音声情報を発生することを特徴とする請求項２記載の情報提示機能を具有するベルトパーテーションの構造。
【請求項１１】
前記アウトプットユニットに含まれるのは、可とう性パネル或いは工業用生地をセレクトした可とう性バリアストリップであることを特徴とする請求項２記載の情報提示機能を具有するベルトパーテーションの構造。
【請求項１２】
更に前記制御ユニットに連結する一つのモーター駆動ユニットを前記柱本体内に設置し、且つ回転軸を具有し、前記可とう性バリアストリップは前記モーター駆動ユニットの前記回転軸の上に固定することを特徴とする請求項１１記載の情報提示機能を具有するベルトパーテーションの構造。
【考案の詳細な説明】
【技術分野】
【０００１】
本考案はベルトパーテーションの構造に関し、特に情報提示機能を具有するベルトパーテーションの構造に関する。
【背景技術】
【０００２】
人々の生活方法が次第にイベントに熱狂的に参加するようになるのに連れ、ベルトパーテーションは現代生活において、秩序を維持する大切な装置の一つとなっている。従来のベルトパーテーションは、通常柱本体の上に赤いベルトを設け、広々とした空間において、動線を区画し、イベントに参加する多くの人々が成す列を制限し、イベント会場が整然として乱れないように維持する。
【０００３】
しかし、従来のベルトパーテーションは、広々とした空間で人々が前進する動線を区画し、それによってイベントに参加する多くの人々が成す列を制限し、イベント会場の秩序を維持するほか、並んでいる人々に関連情報や、その他の有効利用できる機能がないことを鑑みて、更なる改善が必要であった。
【先行技術文献】
【特許文献】
【０００４】
【特許文献１】特開2014-170519号公報
【考案の概要】
【考案が解決しようとする課題】
【０００５】
前記公知構造の欠点を解決するため、本考案の第１の目的は、一つの列の動線を区画できるほか、更に列に並ぶ人々に有益な情報を提示する機能を具有する情報提示機能を具有するベルトパーテーションの構造を提供することにある。
本考案の第２の目的は、一つの列の動線を区画できるほか、更に外部の携帯装置に対して充電する機能を具有する情報提示機能を具有するベルトパーテーションの構造を提供することにある。
本考案の第３の目的は、一つの列の動線を区画できるほか、更にＷｉＦｉワイヤレス送受信のリピーター機能を具有する情報提示機能を具有するベルトパーテーションの構造を提供することにある。
本考案の第４の目的は、一つの列の動線を区画できるほか、更に動線ガイド或いは緊急照明の光源を提供する機能を具有する情報提示機能を具有するベルトパーテーションの構造を提供することにある。
【課題を解決するための手段】
【０００６】
上述の目的を解決するために、本考案は情報提示機能を具有するベルトパーテーションの構造を提供するものである。該ベルトパーテーションは柱本体と提示装置を含み、提示装置は柱本体に配置し、列の状態を感知することで、列の状態を代表する提示情報をアウトプットする。
【０００７】
一つの実施例において、この情報提示機能を具有するベルトパーテーションの提示装置に含まれるのは、センサー、アウトプットユニット及び制御ユニットである。センサーは柱本体の周囲にいる列に並ぶ人々の状態を検出し、制御ユニットはセンサーとアウトプットユニットを連結し、センサーで検出した列に並ぶ人々の状態を受信し、そしてアウトプットユニットを介して、少なくとも一つの待ち時間の提示情報をアウトプットすることで、列に並ぶ人々が、並ぶのに必要な待ち時間を予測できる。
【０００８】
一つの実施例において、該情報提示機能を具有するベルトパーテーションのセンサーは、赤外線センサーとする。
【０００９】
一つの実施例において、該情報提示機能を具有するベルトパーテーションの提示装置は更に制御ユニットと連結する送受信ユニットを含み、外部サーバー、或いは列を区画する動線のその他のベルトパーテーションとの間で通信を行う。
【００１０】
一つの実施例において、該情報提示機能を具有するベルトパーテーションの送受信ユニットは一つのＷｉＦｉワイヤレス送受信ユニットであり、制御ユニットは、ＷｉＦｉワイヤレス送受信ユニットから受信する信号を、拡大してから転送するリピーター機能を具有する。
【００１１】
一つの実施例において、該情報提示機能を具有するベルトパーテーションの提示装置は更に該制御ユニットと連結し、照明の光となる発光ユニットを含み、必要な場合には動線ガイド或いは緊急照明の光源を提供する。
【００１２】
一つの実施例において、該情報提示機能を具有するベルトパーテーションの提示装置は更に充電式乾電池と、該制御ユニット及び該充電式乾電池と連結する放充電ユニットを含み、エネルギー貯蔵及び外部の携帯装置に充電を行うためのものである。
【００１３】
一つの実施例において、該情報提示機能を具有するベルトパーテーションの提示装置は更に制御ユニットと連結するインプットユニットを含み、制御ユニットの操作モードを設定するためのものである。
【００１４】
一つの実施例において、該情報提示機能を具有するベルトパーテーションの提示装置のアウトプットユニットは、表示パネルを具有し、前記の提示情報を表示するためのものである。
【００１５】
一つの実施例において、該情報提示機能を具有するベルトパーテーションの提示装置のアウトプットユニットはオーディオジェネレーターを具有し、前記提示情報を代表する音声情報を発生するためのものである。
【００１６】
一つの実施例において、該情報提示機能を具有するベルトパーテーションの提示装置のアウトプットユニットに含まれるのは、可とう性パネル或いは工業用生地をセレクトした可とう性バリアストリップである。
【００１７】
一つの実施例において、該情報提示機能を具有するベルトパーテーションは更に制御ユニットと連結するモーター駆動ユニットを含み、柱本体内に設置し、且つ回転軸を具有する。可とう性バリアストリップはモーター駆動ユニットの回転軸の上に固定する。
【００１８】
前記で分かるように、本考案が提供する情報提示機能を具有するベルトパーテーションは、柱本体に配置する提示装置を使って列の状態を感知し、且つ列の状態を代表する提示情報をアウトプットする。よって、従来のベルトパーテーションのように一つの列の動線を区画するのに使うほか、更に列に並ぶ人々に有益な情報を提供する機能を具有する。
【考案の効果】
【００１９】
本考案は、柱本体に配置する提示装置を使って列の状態を感知し、且つ列の状態を代表する提示情報をアウトプットする。よって、本考案の情報提示機能を具有するベルトパーテーションは、列の動線を区画するのに使うほか、更に列に並ぶ人々に有益な情報を提供する機能を具有する。
【図面の簡単な説明】
【００２０】
【図１】本考案の最良実施例の一種の情報提示機能を具有するベルトパーテーションの立体図である。
【図２】図１のベルトパーテーションの分解立体図である。
【図３】図１のベルトパーテーションの提示装置ブロック略図である。
【考案を実施するための形態】
【００２１】
以下、本考案の構造と特徴および効果を、最良実施例と図面を参照しながら詳細に説明する。
【実施例】
【００２２】
図１から図３に示すのは、本考案の最良実施例の一種の情報提示機能を具有するベルトパーテーションの立体図、及びその中の提示装置ブロックの略図である。図に示すように、この情報提示機能を具有するベルトパーテーション１０に含まれるのは、柱本体１１と提示装置１２であり、提示装置１２は柱本体１１に配置し、列の状態を感知し、且つ列の状態を代表する提示情報をアウトプットする。
【００２３】
柱本体１１は台座１１１、下柱本体１１２、上柱本体左蓋１１３、上柱本体右蓋１１４と上柱本体上蓋１１５を含む。提示装置１２は制御ユニット１２１を含み、及び制御ユニット１２１とそれぞれ連結する例えば赤外線センサー或いは撮影装置のセンサー１２２、アウトプットユニット１２３、インプットユニット１２４、送受信ユニット１２５、発光ユニット１２６、放充電ユニット１２７及び放充電ユニット１２７と連結する充電式電池１２８を含む。
【００２４】
その中、アウトプットユニット１２３は図２の中で、提示情報或いはその他の例えば広告、ガイドと会報など情報を表示する表示パネル１２３１、及び/或いは可とう性パネル、工業用生地のうちの一つをセレクトした可とう性バリアストリップ１２３２とすることができる。アウトプットユニット１２３もまた、図２の中で、提示情報を代表する音声情報を発生するオーディオジェネレーター１２３３とすることができる。この他、自動巻上げ可とう性バリアストリップ１２３２の機能を提供するため、この情報提示機能を具有するベルトパーテーション１０は、更に制御ユニット１２１と連結するモーター駆動ユニット１３を含むことができる。もちろんこの技術を熟知する者であれば、モーター駆動ユニット１３の代わりに渦巻きスプリングなどの機械構造を使用することができ、自動巻上げ可とう性バリアストリップ１２３２の功能に達する。
【００２５】
図２に示すように、台座１１１内にオーディオジェネレーター１２３３及び制御ユニット１２１、インプットユニット１２４、送受信ユニット１２５及び放充電ユニット１２７を統合するプリント回路基板２１を設置する。台座１１１は欠口を具有し、互いに重ねて収納することができる。充電式乾電池１２８を下柱本体１１２の中に設置し、更にネジ２２を使って下柱本体１１２を台座１１１の上に錠止し、下柱本体１１２の上に例えば発光ダイオードで構成する発光ユニット１２６を設置し、必要な場合には、列に並ぶ人々の動線ガイド或いは緊急照明の光源を提供するのに便利である。
【００２６】
モーター駆動ユニット１３はネジ２３を使って、互いに掛合する上柱本体左蓋１１３と上柱本体右蓋１１４の下側に錠止する。可とう性バリアストリップ１２３２は回転しないようにモーター駆動ユニット１３の回転軸１３１の外回りに套設し、更に固定カバー１３２を使って回転軸１３１の末端に回転固定し、可とう性バリアストリップ１２３２の一端を回転軸１３１のフランジ１３３に抵触して固定する。可とう性バリアストリップ１２３２が回転軸１３１の末端に移動して脱落するのを避ける。
【００２７】
その後、モーター駆動ユニット１３を下柱本体１１２の中空の上端に入れ、且つ互いに掛合する上柱本体左蓋１１３及び上柱本体右蓋１１４をしっかりと下柱本体１１２の上方に掛合し、更に上柱本体上蓋１１５を上柱本体左蓋１１３と上柱本体右蓋１１４に掛合してから、表示パネル１２３１を上柱本体上蓋１１５に回転掛合すれば組み立ては完成する。
【００２８】
図の中で、上柱本体左蓋１１３と上柱本体右蓋１１４の周りに、可とう性バリアストリップ１２３２を外に出すための一つの穴を配置するほか、同時に穴２５と等角度で分布する別の三つの穴２５を配置することで、動線を設置する際に、可とう性バリアストリップ１２３２の末端を通し、他の情報提示機能を具有するベルトパーテーション１０の可とう性バリアストリップ１２３２をセレクトして接続することで、様々な異なる動線規格を行うのに便利である。
【００２９】
使用する際、センサー１２２は柱本体１１の周囲にいる列に並ぶ人々の状態を検出し、更に検出結果を制御ユニット１２１に伝送し、表示パネル１２３１、可とう性バリアストリップ１２３２及び/或いはオーディオジェネレーター１２３３などを介して、例えば今の列の長さで必要な待ち時間の提示情報をアウトプットし、それによって列に並ぶ人々が、待ち時間を予測することができる。或いは、例えばＷｉＦｉワイヤレス送受信ユニット１２５を使って、状態を検出或いは提示情報を外部サーバー、或いは列を区画する動線のその他のベルトパーテーションにまで転送して通信を行う。且つ制御ユニット１２１がセレクトし、ＷｉＦｉワイヤレス送受信ユニット１２５の信号を受信し、拡大してから転送するとき、この情報提示機能を具有するベルトパーテーション１０も同時にリピーター機能を具有する。
【００３０】
この他、下柱本体１１２の中に設置する充電式乾電池１２８は、この情報提示機能を具有するベルトパーテーション１０に必要な電源を供給できるほか、台座１１１に設置するほう充電ユニット１２７と合わせて、充電機能及び外部の携帯装置に充電を行うことができる。この情報提示機能を具有するベルトパーテーション１０の制御ユニット１２１の操作モードは、インプットユニット１２４を通じて設定を行うことができる。
【００３１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３２】
１０  情報提示機能を具有するベルトパーテーション
１１  柱本体
１１１  台座
１１２  下柱本体
１１３  上柱本体左蓋
１１４  上柱本体右蓋
１１５  上柱本体上蓋
１２  提示装置
１２１  制御ユニット
１２２  センサー
１２３  アウトプットユニット
１２３１  表示パネル
１２３２  可とう性バリアストリップ
１２３３  オーディオジェネレーター
１２４  インプットユニット
１２５  送受信ユニット
１２６  発光ユニット
１２７  放充電ユニット
１２８  充電式乾電池
１３  モーター駆動ユニット
１３１  回転軸
１３２  固定カバー
１３３  フランジ
２１  プリント回路基板
２２、２３  ネジ
２５  穴
【図１】
0003205794.tif 000003
【図２】
0003205794.tif 000004
【図３】
0003205794.tif 000005